(57)【要約】【課題】自動復帰式蝶番について、構成の複雑化を伴うことなく捩りバネをシャフトに内装してコストアップを最小限に抑えられるようにする。【解決手段】蝶番部材２，３と、筒状のシャフト４と、係止手段で上下両端側を係止された捩りバネ５とからなり開き方向の動作で捩りバネ５が捩れて閉じ方向の付勢力を発揮する自動復帰式蝶番において、捩りバネ５の上下両端側が係合構造５ａ，５ｂとされ、その係止手段が、頭部６０とスリーブ２１に挿入した状態で係合構造５ａと係合する構造を有した挿入部６１とからなり固定手段であるピン７でスリーブ２１に対し軸周り回動不能に固定される係止蓋６による上部係止手段と、スリーブ３１の周壁を介し外部から挿設され捩りバネ５を内装したシャフト４を挿入した状態で軸周り回動不能且つ脱抜不能にスリーブ３１内で固定しながら係合構造５ｂと係合するピン８による下部係止手段からなる。【選択図】図１
2012107428.tif 000002
【特許請求の範囲】
【請求項１】
羽根板の１側辺に沿って互いに対向位置に各々スリーブを形成した１対の蝶番部材と、上下に連ねた前記スリーブに挿通されて蝶番開閉軸となる筒状のシャフトと、前記シャフト内に挿入配置されてその上下両端側を所定の係止手段で前記各スリーブに対し少なくとも軸周りに回動不能に係止された捩りバネとからなり、ドア開き方向の動作により前記捩りバネが捩れて閉じ方向の付勢力を発揮する自動復帰式蝶番であって、前記捩りバネは、バネ部分の上下両端側が係合構造とされ、前記係止手段は、前記スリーブ内径よりも大径の頭部と該頭部下面から前記スリーブ内に挿入可能な太さで垂設され前記スリーブに挿入した状態で上側の前記係合構造と互いに係合する構造を有した挿入部とからなり該挿入部を上側の前記スリーブに上から挿入した状態で所定の固定手段により前記スリーブに対し少なくとも軸周り回動不能に固定されるキャップ状の上部係止手段と、下側の前記スリーブの周壁を介して外部から挿設され内部に前記捩りバネを配置した前記シャフトを下側の前記スリーブ内の所定深さまで挿入した状態で前記スリーブに対し軸周り回動不能且つ脱抜不能に固定するとともに下側の前記係合構造と係合する下部係止手段とからなることを特徴とする自動復帰式蝶番。
【請求項２】
前記上部係止手段は、円柱状に形成された前記挿入部の底面に上側の前記係合構造を挿入させることで軸周り回動不能に係合させるスリットが上向きに形成されているとともに外周面に固定手段としての棒状部材を挿入するための孔または穴が横向きに設けられ、該孔または穴に上側の前記スリーブの周壁を横向きに貫通した挿通孔を介して外部から前記棒状部材を挿通・留置することで前記スリーブに固定されるものであり、前記下部係止手段は、下側の前記スリーブの周壁を横向きに貫通した挿通孔及び前記シャフトの周壁を横向きに貫通した挿通孔を介して外部から挿通され前記係合構造と係合した状態で留置された他の棒状部材であることを特徴とする請求項１に記載した自動復帰式蝶番。
【請求項３】
羽根板の１側辺に沿って各々スリーブを形成した１対の蝶番部材と、下側のスリーブから上向きに延設された状態で前記スリーブと一体とされて蝶番開閉軸となる筒状のシャフトと、該シャフト内に配置されて上下両端側を所定の係止手段で前記各スリーブに対し少なくとも軸周り回動不能に係止された捩りバネとからなり、ドア開き方向の動作により前記捩りバネが捩れて閉じ方向の付勢力を発揮する自動復帰式蝶番において、前記捩りバネは、バネ部分の上下両端側が係合構造とされ、前記係止手段は、前記スリーブ内径よりも大径の頭部と該頭部下面から前記スリーブ内に挿入可能な太さで垂設され前記スリーブに挿入した状態で上側の前記係合構造と互いに係合する構造を有した挿入部とからなり、該挿入部を上側のスリーブに上から挿入した状態で所定の固定手段により前記スリーブに対し少なくとも軸周り回動不能に固定されるキャップ状の上部係止手段と、下側の前記スリーブ周壁を介して外部から挿設され下側の前記係合構造と係合する下部係止手段からなることを特徴とする自動復帰式蝶番。
【請求項４】
前記上部係止手段は、円柱状に形成された前記挿入部の底面に上側の前記係合構造を挿入させることで軸周り回動不能に係合させるスリットが上向きに形成されているとともに外周面に固定手段としての棒状部材を挿入るための孔または穴が横向きに設けられ、該孔または穴に上側の前記スリーブの周壁を横向きに貫通した挿通孔を介して外部から前記棒状部材を挿通・留置することで前記スリーブに固定されるものであり、前記下部係止手段は、下側の前記スリーブの周壁を横向きに貫通した挿通孔を介して外部から挿通され前記係合構造と係合した状態で留置された他の棒状部材であることを特徴とする請求項３に記載した自動復帰式蝶番。
【請求項５】
前記捩りバネがコイルバネであるとともに、その上下両端側の係合構造がバネ部分を構成している線材の上下両端側に屈曲されて各々中心軸線方向に延びる鈎状またはアーチ状
である請求項１，２，３または４に記載した自動復帰式蝶番。
【請求項６】
前記捩りバネが板バネであるとともに、その係合構造がバネ部分を構成している板材の上下両端側に形成された中心軸線方向に延びる板状で係止孔が形成されている請求項１，２，３または４に記載した自動復帰式蝶番。
【発明の詳細な説明】
【技術分野】
【０００１】
本発明は、捩りバネを用いることにより開いたドアを自動的に閉じる方向に或いは閉じたドアを自動的に開ける方向に付勢する機能を有した自動復帰式蝶番に関する。
【背景技術】
【０００２】
従来から、蝶番を構成している１対の蝶番部材間にバネを介装することにより開いたドアを閉鎖方向に付勢する自動復帰式蝶番は、例えば特開平７−１１３３６９号公報に記載されているように広く知られている。この文献に記載されているものは、羽根板にスリーブを付設した１対の蝶番部材を、上下に重ねたスリーブ内にシャフトを挿通して蝶番開閉軸としながらシャフト周りにコイルバネを配設してその上下端部側を上下の蝶番部材側に各々固定したことにより、ドアの開き動作でコイルバネが捩れて閉じ方向の付勢力を発揮するようになっている。
【０００３】
しかしながら、シャフト周りにコイルバネを配設すると、これを挿通させるスリーブの内径が大きくなることから、スリーブの大径化により蝶番のサイズ・重量が非自動復帰式のものと比べて大きくなり、規格内に収まらなかったり、外観が美麗でなくなるなどの問題がある。そこで、特開２０１０―３７７３５号公報に記載されているように、上下のスリーブに挿通するシャフトの内部にコイルバネを配設して、コイルバネの交換作業を容易にしながらスリーブの大径化を最小限に抑えた自動復帰式蝶番が提案されている。
【０００４】
ところが、この自動復帰式蝶番においては、コイルバネ端部を蝶番部材側に固定・支持させるブラケットを取り付けるために蝶番部材に特殊な構造を設けることに加え、コイルバネを内装したシャフトを下側のスリーブ内で軸周り回動不能に固定するためにスリット等の構造を要することから、部品として構造の複雑化を伴うとともに従来部品の流用も困難になるため、どうしても高コストなものとなってしまうとともに複雑な構造が外観にも表れるので美麗とはいえない。
【先行技術文献】
【特許文献】
【０００５】
【特許文献１】特開平７−１１３３６９号公報
【特許文献２】特開２０１０―３７７３５号公報
【発明の概要】
【発明が解決しようとする課題】
【０００６】
本発明は、上記のような問題を解決しようとするものであり、自動復帰式蝶番について、構成の複雑化を伴うことなく捩りバネをシャフトに内装してコストアップを最小限に抑えられるようにすることを課題とする。
【課題を解決するための手段】
【０００７】
そこで、本発明は、羽根板の１側辺に沿って互いに対向位置に各々スリーブを形成した１対の蝶番部材と、上下に連ねた前記スリーブに挿通されて蝶番開閉軸となる筒状のシャフトと、前記シャフト内に挿入配置されてその上下両端側を所定の係止手段で前記各スリーブに対し少なくとも軸周りに回動不能に係止された捩りバネとからなり、ドア開き方向の動作により前記捩りバネが捩れて閉じ方向の付勢力を発揮する自動復帰式蝶番であって、前記捩りバネは、バネ部分の上下両端側が係合構造とされ、前記係止手段は、前記スリーブ内径よりも大径の頭部と該頭部下面から前記スリーブ内に挿入可能な太さで垂設され前記スリーブに挿入した状態で上側の前記係合構造と互いに係合する構造を有した挿入部
とからなり該挿入部を上側の前記スリーブに上から挿入した状態で所定の固定手段により前記スリーブに対し少なくとも軸周り回動不能に固定されるキャップ状の上部係止手段と、下側の前記スリーブの周壁を介して外部から挿設され内部に前記捩りバネを配置した前記シャフトを下側の前記スリーブ内の所定深さまで挿入した状態で前記スリーブに対し軸周り回動不能且つ脱抜不能に固定するとともに下側の前記係合構造と係合する下部係止手段とからなることを特徴とする。
【０００８】
このように、シャフト内に捩りバネを配置した自動復帰式蝶番について、その捩りバネの上下両端側をスリーブに対し軸周り回動不能に係止する係止構造として、上側のスリーブに挿入した部分で係合して捩りバネ上端側を係止するキャップ状の上部係止手段と、下側のスリーブに挿入したシャフトを固定するとともにシャフト内部の捩りバネ下端側を係止する下部係止手段とからなるものとしたことで、簡易な構成にて実施できることに加え従来部品を殆どそのまま流用することもできる。
【０００９】
また、この場合、その上部係止手段を、円柱状に形成された挿入部の底面に上側の係合構造を挿入させることで軸周り回動不能に係合させるスリットが上向きに形成されているとともに外周面に固定手段としての棒状部材を挿入するための孔または穴が横向きに設けられ、この孔または穴に上側のスリーブの周壁を横向きに貫通した挿通孔を介して外部から棒状部材を挿通・留置することでスリーブに固定されるものとし、その下部係止手段を、下側のスリーブの周壁を横向きに貫通した挿通孔及びシャフトの周壁を横向きに貫通した挿通孔を介して外部から挿通され係合構造と係合した状態で留置された他の棒状部材としたものとすれば、従来部品に挿通孔を形成してピン等の棒状部材を挿通して留置するだけで捩りバネの上下両端側を確実に係止することができる。
【００１０】
或いは、羽根板の１側辺に沿って各々スリーブを形成した１対の蝶番部材と、下側のスリーブから上向きに延設された状態で前記スリーブと一体とされて蝶番開閉軸となる筒状のシャフトと、該シャフト内に配置されて上下両端側を所定の係止手段で前記各スリーブに対し少なくとも軸周り回動不能に係止された捩りバネとからなり、ドア開き方向の動作により前記捩りバネが捩れて閉じ方向の付勢力を発揮する自動復帰式蝶番において、前記捩りバネは、バネ部分の上下両端側が係合構造とされ、前記係止手段は、前記スリーブ内径よりも大径の頭部と該頭部下面から前記スリーブ内に挿入可能な太さで垂設され前記スリーブに挿入した状態で上側の前記係合構造と互いに係合する構造を有した挿入部とからなり、該挿入部を上側のスリーブに上から挿入した状態で所定の固定手段により前記スリーブに対し少なくとも軸周り回動不能に固定されるキャップ状の上部係止手段と、下側の前記スリーブ周壁を介して外部から挿設され下側の前記係合構造と係合する下部係止手段からなることを特徴とするものとすれば、さらに構成が簡易になって低コストなものとなる。
【００１１】
さらにまた、この場合、その上部係止手段を、円柱状に形成された挿入部の底面に上側の係合構造を挿入させることで軸周り回動不能に係合させるスリットが上向きに形成されているとともに外周面に固定手段としての棒状部材を挿入するための孔または穴が横向きに設けられ、この孔または穴に上側のスリーブの周壁を横向きに貫通した挿通孔を介して外部から棒状部材を挿通・留置することでスリーブに固定されるものとし、その下部係止手段を、下側のスリーブの周壁を横向きに貫通した挿通孔を介して外部から挿通され係合構造と係合した状態で留置された他の棒状部材であるものとしても、上述と同様に捩りバネの上下両端側を確実に係止することができる。
【００１２】
特に、前記捩りバネがコイルバネであるとともに、その上下両端側の係合構造がバネ部分を構成している線材の上下両端側に屈曲されて各々中心軸線方向に延びる鈎状またはアーチ状であったり、前記捩りバネが板バネであるとともに、その係合構造がバネ部分を構
成している板材の上下両端側に形成された中心軸線方向に延びる板状で係止孔が形成されている場合には実施しやすいとともに確実に復帰機能を発揮させることができる。
【発明の効果】
【００１３】
スリーブに挿入した部分で捩りバネ上端側を係止するキャップ状の上部係止手段とスリーブ周壁を介して設けられ捩りバネ下端側を係止する下部係止手段とを備えた本発明によると、構成の複雑化を伴うことなく捩りバネをシャフトに内装して外形を変えずにシンプルで美麗なものにするとともにコストアップを最小限に抑えることができるものである。
【図面の簡単な説明】
【００１４】
【図１】本発明における実施の形態の分解斜視図である。
【図２】図１の自動復帰式蝶番の縦断面図である。
【図３】本発明における異なる実施の形態の分解斜視図である。
【図４】図３の自動復帰式蝶番の縦断面図である。
【発明を実施するための形態】
【００１５】
以下に、図面を参照しながら本発明を実施するための形態を説明する。
【００１６】
図１は、本発明を開いた状態から閉じた状態に自動的に復帰する自動復帰式蝶番１についての好ましい実施の形態の分解斜視図を示すものであり、この自動復帰式蝶番１は、羽根板２０，３０を有した蝶番部材２，３をドア及びドア枠に取り付けることでドアを開閉動作可能な状態にすることに加え、いったん開いたドアを閉じ方向に付勢して閉止状態に自動的に復帰させる機能を有しており、付勢手段としての捩りバネ５が筒状のシャフト４内に配置されている。
【００１７】
そして、前記蝶番部材２，３は、ネジ孔を穿設した羽根板２０，３０の縦向きの１側辺に沿って側辺の半分程度の長さのスリーブ２１，３１を形成してなる金属部品であり、蝶番部材２ではスリーブ２１が上側に、蝶番部材３ではスリーブ３１が下側に形成されており、筒状のシャフト４を下側のスリーブ３１に所定深さまで挿入・固定した状態で、スリーブ２１，３１を上下方向に連ねて挿通したことにより蝶番開閉軸を構成している。
【００１８】
また、シャフト４内に配置されドアの自動復帰機能を発揮する捩りバネ５は、コイルバネからなるとともに螺旋状に形成されるバネ部分を構成している線材の上下両端側が屈曲されて各々バネ中心軸線方向に延びた鈎状の係合構造５ａ，５ｂとされている。下側の係合構造５ｂは、下側のスリーブ３１に所定深さまで挿入されたシャフト４内に配置された状態で、スリーブ３１の周壁を外側から横向きに貫通した挿通孔３１ａとシャフト４の周壁を横向きに貫通した挿通孔４ａを介して外部から挿通・留置されたピン８が係合しており、シャフト４及びスリーブ３１に対し軸周り回動不能に係止して捩りバネ５の下部係止手段を構成している。
【００１９】
尚、ピン８は挿通孔３１ａ，４ａを挿通しているだけでなく、挿通孔４ｂ，３１ｂを介して反対側まで貫通した状態で留置されている。これにより、捩りバネ５の係合構造５ｂを係止しながら、シャフト４をこの挿入位置にて堅固に固定したものとなっている。また、ピン８の代わりにボルトやネジを使用しても同様の機能を発揮することができる。
【００２０】
一方、捩りバネ５上側の係合構造５ａをスリーブ２１に対し軸周り回動不能に係止する上部係止手段としては、キャップ状（キノコ状）の部材である係止蓋６が、上側のスリーブ２１の上側開口部に挿入されて配置されている。この係止蓋６は、スリーブ２１の内径よりも大径で外部に露出する円盤状の頭部６０とその下面からスリーブ２１内に挿入可能な太さで垂設されて底面から上向きに形成されたスリット６１ｂと外周面所定位置から反
対側まで横向きに貫通した挿通孔６１ａを備えた円柱状の挿入部６１とからなる。
【００２１】
この係止蓋６の挿入部６１をスリーブ２１の上側開口部に上から挿入して、鈎状に形成されて上向きに延びた捩りバネ５上側の係合構造５ａをスリット６１ｂ内に挿入させて挟み込んだ状態とし、スリーブ２１の周壁を横向きに貫通した挿通孔２１ａを介して挿入部６１の挿通孔６１ａまでピン７を挿入して留置することにより、係止蓋６はスリーブ２１に対し軸周り回動不能に固定され、捩りバネ５の係合構造５ａもスリーブ２１に対し軸周り回動不能に固定される。尚、この場合も、ピン７は挿通孔２１ａ，６１ａを挿通しているだけでなく、挿通孔２１ａに対向して設けた２１ｂを介して反対側まで貫通した状態で留置されて係止状態を堅固なものとしている。また、ピン７の代わりにネジやボルトを使用できることはいうまでもない。
【００２２】
また、前述のように、筒状のシャフト４内に配置された捩りバネ５の上下両端側が、極めて簡易な構成によりスリーブ２１，３１側に各々係止されて、自動復帰機能を発揮可能なものとなっていることから、本実施の形態の自動復帰式蝶番１は、新規な構成の部品として極めて簡易な構造の係止蓋６を追加する程度で済むため、従来部品を加工することでコストアップを最小限にして製造することができる。
【００２３】
図２は、図１に示した自動復帰式蝶番１を組み立てた状態でスリーブ２１，３１の位置で縦向きに切断した縦断面図を示している。このように、本実施の形態の自動復帰式蝶番１は、組み立てた状態で従来の捩りスプリングを収装しないスリーブ２１，３１部分と同一の外観同様にスリムな状態ですっきり収まっており、過剰なサイズアップや重量増加を伴うものにはなっていない。
【００２４】
この自動復帰式蝶番１を組み立てる手順としては、先ず、捩りバネ４を配置したシャフト４を蝶番部材３のスリーブ３１に挿入し、所定位置でピン８を挿通してシャフト４を固定するとともに、係合構造５ｂを軸周り回動不能に係止した状態にして、蝶番部材２のスリーブ２１にシャフト４を下から挿入してセットする。
【００２５】
そして、係止蓋６の挿入部６１をスリーブ２１の上側開口部に挿入してスリット６１ｂの内側で係合構造５ａを挟み込んでいったん係合させ、係止蓋６の頭部６０を摘んで軸周りに回し捩りバネ５を捩りながらある程度蓄勢させた位置にしてから、ピン７を挿通して固定することが推奨される。このようにしておくことで、ドアの閉鎖位置付近でも充分なる付勢力を発揮可能な状態にすることができる。
【００２６】
尚、前記付勢力は捩りばねを捩ることにより生じるので捩り量を変化させることにより付勢力を調整して所望の復帰力を得ることができる。
【００２７】
尚、上述した実施の形態では、シャフト４をスリーブ３１とは別体としてスリーブ３１内に所定の深さまで挿入した後にピン８で固定する構成を説明したが、シャフト４が予めスリーブ３１から上向きに延設された状態でスリーブ３１と一体とされて蝶番開閉軸となる構成としてもよく、この場合もピン８で側方から挿通することで捩りバネ５下側の係合構造５ｂと係合して係止する構成にすればよい。
【００２８】
以上、述べたように、自動復帰式蝶番について、本発明により構成の複雑化を伴うことなく捩りバネをシャフトに内装することができ、コストアップを最小限に抑えられるものとなった。
【００２９】
尚、本実施の形態は、ドアを開けた状態から自由な状態としたときに自動的に閉じる自動復帰式蝶番についてのものであるが、捩りバネ５の弾発板方向（捩り方向）を逆転させ
て装着すればよい（図示せず）。
【００３０】
また、図３は本発明の異なる実施の形態を示すものであり、全体の構成ならびに作用・効果は前記実施の形態とほぼ同様であるが、捩り部材５が板バネにより形成されている点が異なる。
【００３１】
更に詳しく説明すると、前記実施の形態では捩りバネ５がコイルバネからなることから、線材の素材や太さなどにより復帰力を調整することができるが、本実施の形態では素材や幅、厚さなどを変化することにより復帰力を調整することが可能であり、調整し易い。
【００３２】
加えて、係合構造５ａ，５ｂも前記コイルバネを用いた図１および図２に示した実施の形態では螺旋状に形成されるバネ部分を構成している線材を屈曲して各々バネ中心軸線方向に延びた鈎状やアーチ状に加工する必要があるが、本実施の形態ではバネ部分を延長した板状でよく、ピン７，ピン８の係止孔５ｃを形成すればよく、加工が簡単であるばかりか耐久性にも優れている。
【００３３】
尚、ここで説明した実施の形態では捩りバネ５としてコイルバネおよび板バネの場合を示したが、捩りバネ５は捩ることにより反転する復帰力が生じるものであればよく、素材や形状は問わない。
【符号の説明】
【００３４】
１  自動復帰式蝶番、２，３  蝶番部材、４  シャフト、４ａ，４ｂ，２１ａ，２１ｂ，６１ａ  挿通孔、５  捩りバネ、５ａ，５ｂ  係合構造、６  係止蓋、７，８  ピン、２１，３１  スリーブ、６０  頭部、６１  挿入部、６１ｂ  スリット
【図１】
2012107428.tif 000003
【図２】
2012107428.tif 000004
【図３】
2012107428.tif 000005
【図４】
2012107428.tif 000006